(57)【要約】 【課題】  フラットケーブル用電気コネクタおよびこれに使用されるシールド部材において、コネクタのＥＭＩ特性を向上させる。【解決手段】  挿入されるフラットケーブル１００の表面のシールド面と接触するコンタクト４と、コンタクト４を保持し、接地部８２を有する基板８０に取り付けられる絶縁ハウジング２とを備えたフラットケーブル用電気コネクタ１において、絶縁ハウジング２の外面を略覆うように絶縁ハウジング２に装着されるシールド部材３０を備え、シールド部材３０が、絶縁ハウジング２に装着されると、フラットケーブル１００のシールド面および基板８０の接地部８２を電気的に接続するよう構成される。 【選択図】          図８
2006066242.tif 000002
【特許請求の範囲】
【請求項１】
挿入されるフラットケーブルの表面のシールドと接触するコンタクトと、該コンタクトを保持し、接地部を有する基板に取り付けられる絶縁ハウジングとを備えたフラットケーブル用電気コネクタにおいて、
前記絶縁ハウジングの外面を略覆うように前記絶縁ハウジングに装着されるシールド部材を備え、該シールド部材が、前記絶縁ハウジングに装着されると、前記フラットケーブルの前記シールドおよび前記基板の前記接地部を相互に電気的に接続するよう構成されてなることを特徴とするフラットケーブル用電気コネクタ。
【請求項２】
前記シールド部材は、該シールド部材を絶縁ハウジングに着脱可能にする弾性を有するクリップ状の取付片を有し、前記シールド部材が前記絶縁ハウジングに装着されると、前記シールド部材の一端の舌片が前記フラットケーブルのシールドに、他端の舌片が前記基板の接地部に各々弾性的に接触することを特徴とする請求項１記載のフラットケーブル用電気コネクタ。
【請求項３】
前記シールド部材は、前記一端および前記他端の間に支点を有する前記取付片により前記絶縁ハウジングにシーソー状に支持されることを特徴とする請求項２記載のフラットケーブル用電気コネクタ。
【請求項４】
前記取付片は、前記基板に接触して前記シールド部材の基板方向への変位を規制する凸部を有することを特徴とする請求項２または３記載のフラットケーブル用電気コネクタ。
【請求項５】
基板に取付けられるフラットケーブル用電気コネクタの絶縁ハウジングの外面を覆うように前記絶縁ハウジングに装着されるシールド部材であって、該シールド部材が、弾性を有するクリップ状の取付片を有し、前記シールド部材が前記絶縁ハウジングに装着されると、該シールド部材の一端の舌片が前記フラットケーブルのシールドに接触し、他端の舌片が前記基板の接地部にそれぞれ弾性的に接触するよう構成されてなることを特徴とするフラットケーブル用電気コネクタに用いられるシールド部材。
【請求項６】
前記取付片は、前記基板に接触して前記シールド部材の基板方向への変位を規制する凸部を有することを特徴とする請求項５記載のシールド部材。
【発明の詳細な説明】
【技術分野】
【０００１】
本発明は、携帯電話機等の電子機器に使用されるフラットケーブル用電気コネクタおよびこれに用いられるシールド部材に関し、特にシールド（電磁遮蔽）型のフラットケーブル用電気コネクタおよびこれに用いられるシールド部材に関するものである。
【背景技術】
【０００２】
従来知られたフラットケーブル用電気コネクタの一例として、ＦＰＣ（可撓性印刷回路）と接続して使用するコネクタが知られている（特許文献１）。このコネクタは、基板側とケーブル側の１対のコネクタからなり、それぞれのコネクタにはシェル（シールド部材）が外装されている。ＦＰＣの接地導体はケーブル側コネクタのシェルに接続されている。
【特許文献１】特開２０００−２３１９７１号公報（図１、図２）
【発明の開示】
【発明が解決しようとする課題】
【０００３】
特許文献１のＦＰＣコネクタにおいては、シェルは、所定の形状のハウジングに外装されてシールドコネクタとして組み込まれている．従って、シールド性は安定しているものの、コネクタが、ＦＦＣ（フレキシブルフラットケーブル）あるいはＦＰＣを固定する開閉可能なロック部材を有する場合は、ロック部材が一時的にハウジングの外部に突出するので、このようなシールド構造を用いることはできなかった。しかし、シェルをハウジングに外装しない場合には、コネクタ自体から不要輻射（電磁波）が生じ、或いは外部から妨害電磁波がコネクタの電気経路内に侵入するという問題がある。
【０００４】
本発明は、上記事情に鑑みてなされたものであり、フラットケーブル用電気コネクタのＥＭＩ（電磁妨害）特性を、安定的に向上させることができるフラットケーブル用電気コネクタおよびこれに使用されるシールド部材を提供することを目的とするものである。
【課題を解決するための手段】
【０００５】
本発明のフラットケーブル用電気コネクタは、挿入されるフラットケーブルの表面のシールドと接触するコンタクトと、コンタクトを保持し、接地部を有する基板に取り付けられる絶縁ハウジングとを備えたフラットケーブル用電気コネクタにおいて、絶縁ハウジングの外面を略覆うように絶縁ハウジングに装着されるシールド部材を備え、シールド部材が、絶縁ハウジングに装着されると、フラットケーブルのシールドおよび基板の接地部を相互に電気的に接続するよう構成されてなることを特徴とするものである。
【０００６】
なお、フラットケーブルとは、平板状の絶縁体内に複数の電線が平行に配置された所謂ＦＦＣ（フレキシブルフラットケーブル）と称されるものの他、可撓性の基板に導電経路が印刷された所謂ＦＰＣ（フレキシブル印刷回路）と称されるものも含む。
【０００７】
本発明の一態様として、シールド部材が、シールド部材を絶縁ハウジングに着脱可能にする弾性を有するクリップ状の取付片を有し、シールド部材が絶縁ハウジングに装着されると、シールド部材の一端の舌片がフラットケーブルのシールドに、他端の舌片が基板の接地部に各々弾性的に接触するよう構成することができる。  
また、シールド部材が、一端および他端の間に支点を有する取付片により絶縁ハウジングにシーソー状に支持されてもよい。
【０００８】
また、取付片は、基板に接触してシールド部材の基板方向への変位を規制する凸部を有するように構成することができる。
【０００９】
また、本発明のフラットケーブル用電気コネクタに用いられるシールド部材は、基板に取付けられるフラットケーブル用電気コネクタの絶縁ハウジングの外面を覆うように絶縁ハウジングに装着されるシールド部材であって、シールド部材が、弾性を有するクリップ状の取付片を有し、シールド部材が絶縁ハウジングに装着されると、シールド部材の一端の舌片がフラットケーブルのシールドに接触し、他端の舌片が基板の接地部にそれぞれ弾性的に接触するよう構成されていることを特徴とするものである。
【００１０】
また、取付片は、基板に接触してシールド部材の基板方向への変位を規制する凸部を有するように構成することができる。
【発明の効果】
【００１１】
本発明のフラットケーブル用電気コネクタは、絶縁ハウジングの外面を略覆うように絶縁ハウジングに装着されるシールド部材を備え、シールド部材が、絶縁ハウジングに装着されると、フラットケーブルのシールドおよび基板の接地部を相互に電気的に接続するよう構成されてなるので次の効果を奏する。
【００１２】
即ち、絶縁ハウジングを覆うシールド部材が、フラットケーブルから基板の接地部に至る接地経路を構成するので、フラットケーブル用電気コネクタのＥＭＩ特性を向上させることができる。
【００１３】
また、シールド部材が、シールド部材を絶縁ハウジングに着脱可能にする弾性を有するクリップ状の取付片を有し、シールド部材が絶縁ハウジングに装着されると、シールド部材の一端の舌片がフラットケーブルのシールドに、他端の舌片が基板の接地部に各々弾性的に接触するよう構成されている場合は、電気的接触が安定し、ＥＭＩ特性が安定的に向上する。
【００１４】
また、シールド部材が、一端および他端の間に支点を有する取付片により絶縁ハウジングにシーソー状に支持されている場合は、接触の反力の差によりシールド部材が自動的に回動するので、フラットケーブルのシールドへの接触と、基板の接地部への接触がバランスよくなされ、電気的接触の安定性が維持される。
【００１５】
また、取付片が、基板に接触してシールド部材の基板方向への変位を規制する凸部を有するように構成されている場合は、取付片の下方向への一定以上の変位が規制されるので、シールド部材が下降しすぎてコンタクト等と接触することが防止される。
【００１６】
また、本発明のフラットケーブル用電気コネクタに用いられるシールド部材は、シールド部材が、弾性を有するクリップ状の取付片を有し、シールド部材が絶縁ハウジングに装着されると、シールド部材の一端の舌片がフラットケーブルのシールドに接触し、他端の舌片が基板の接地部にそれぞれ弾性的に接触するよう構成されているので、次の効果を奏する。
【００１７】
即ち、絶縁ハウジングを覆うシールド部材が、フラットケーブルから基板の接地部に至る接地経路を構成するので、フラットケーブル用電気コネクタのＥＭＩ特性を向上させることができる。さらに、シールド部材が、弾性を有するクリップ状の取付片を有し、シールド部材が絶縁ハウジングに装着されると、シールド部材の一端がフラットケーブルのシールドに、他端が基板の接地部に各々弾性的に接触するよう構成されていることにより、電気的接触が安定し、ＥＭＩ特性が安定的に向上する。
【発明を実施するための最良の形態】
【００１８】
以下、本発明のフラットケーブル用電気コネクタ（以下、単にコネクタという）の好ましい実施の形態について、添付図面を参照して詳細に説明する。図１から図４は、本発明の一具体例のコネクタ１の外観を示し、図１は平面図、図２は正面図、図３は底面図、図４は側面図をそれぞれ示す。但し、シールド部材は取り外してある。コネクタ１は、扁平な直方形の絶縁ハウジング（以下、単にハウジングという）２と、このハウジング２に所定の間隔で配設された複数のコンタクト４およびハウジング２に開閉可能に軸支されたロック部材６を有する。
【００１９】
ハウジング２は、正面側にコネクタ１の長手方向に沿って開口するケーブル受容凹部８を有する。コンタクト４は、このケーブル受容凹部８に沿って平行に配列されている。なお、正面側とは、便宜上、フラットケーブル（以下、単にケーブルという）１００（図６（ａ））が挿入される側をいうものとする。コンタクト４のタイン１２は、ハウジング２の底面２ａ側に突出しており、ハウジング２が基板８０に取り付けられるときに基板８０に表面実装される。
【００２０】
次に、コンタクト４の形状について、図５を参照してさらに説明する。図５はコネクタ１を部分的に破断した断面図であり、図５（ａ）は図２の５ａ-５ａ線に沿う断面および図５（ｂ）は図２の５ｂ−５ｂ線に沿う断面をそれぞれ示す。コンタクト４は２種類のコンタクト４ａ、４ｂからなる。コンタクト４ａは、ハウジング２の後部からハウジング２に圧入され、下側にケーブル受容凹部８に臨む接触アーム１０ａを有し、上側に押圧アーム１１ａを有する。また、コンタクト４ｂはハウジング２の前部から圧入され下側に接触アーム１０ｂを有し、上側に押圧アーム１１ｂを有する。両コンタクト４ａ、４ｂは、ケーブル１００と接触アーム１０ａ、１０ｂの部分で電気的に接触する。また、押圧アーム１１ａ、１１ｂは、ロック部材６を介してケーブル１００を下方に押圧するようになっている。
【００２１】
次に、ロック部材６について説明する。ロック部材６は板状の絶縁性部材であり、両端に円柱状の軸支部１４、１４を有する。この軸支部１４は、ハウジング２の対応する溝１６内に圧入されて、ハウジング２に回動可能に軸支される。ロック部材６には、コンタクト４と干渉しないように、コンタクト４の押圧アーム１１ａ、１１ｂに対応する位置に矩形の開口１８が形成されている。この開口１８はロック部材６の後端部に開放するようには形成されていない。従って、前述のコンタクト４の押圧アーム１１ａ、１１ｂは、ロック部材６を下方に押圧することによって、ロック部材６を介してケーブル１００を下方に押圧することができる。ロック部材６の正面側両端には、下向きに突出するケーブル規制部２０が形成されている。
【００２２】
ロック部材６は、ケーブル１００がハウジング２のケーブル受容凹部８に挿入されてからケーブル１００をロック（固定）するように閉鎖される。これらのケーブル規制部２０は、挿入されたケーブル１００の左右即ちケーブル１００の幅方向の動きを規制する。また、ハウジング２の両側壁２２には、下方向に湾曲した略半円形の突起（凹凸係合部）２４が各々形成されている。これらの突起２４は、次に説明するシールド部材３０と凹凸係合する。
【００２３】
次に、図６を参照して、ハウジング２にシールド部材３０を取り付けた状態について説明する。図６は、シールド部材３０を取り付けた状態のコネクタ１を示し、図６（ａ）は平面図、図６（ｂ）は側面図をそれぞれ示す。シールド部材３０は、銅合金、例えば燐青銅にニッケルめっきを施したものなどの弾性を有する１枚の金属板から打抜き折曲げ形成して得られ、ハウジング２の上面２ｂ（図１）を覆う矩形の基部３２と、この基部３２からハウジング２の側壁２２の方に折り曲げられた略矩形のクリップ状の１対の取付片３４を有する。取付片３４は側壁２２を覆う大きさを有し、前述の突起２４に対応する位置に突起２４と係合する開口（凹凸係合部）３６を有する。開口３６は、突起２４の湾曲面２４ａ（図４）と相補的な湾曲面３６ａを有する。これらの湾曲面２４ａ、３６ａをそれぞれ有する突起２４と開口３６は、シールド部材３０にシーソー状の動きをさせる支点としての一構成例である。取付片３４の下端の開口３６近傍には、下向きの湾曲凸部３８が形成されている。
【００２４】
また、基部３２には、前部側（一端）に舌片４０、後部側（他端）に他の舌片４２が下方に向けて延出するように形成されている。舌片４０は、ケーブル１００側に向けて延び、先端部４０ａが上方に折り返されている。また、舌片４２は、基板８０側に延び、同様に先端部４２ａが上方に折り返されている。これらの先端部４０ａ、４２ａが折り返されていることによって、シールド部材３０のシーソー状の動きが妨げられることがなく、また、電気的接触が安定且つ確実になされる。なお、図中１００は、コネクタ１に挿入されたケーブルを示し、４４はハウジング２とは別体の土台板を示す。
【００２５】
ここで、ケーブル１００の一例として、図７を参照して説明する。図７は、ケーブル１００の断面図である。ケーブル１００は、所定の間隔で平行に配列された複数の信号導体１０２と、所定位置に配された接地導体１０４を有する。これらの導体１０２、１０４は、絶縁体１０６中にオーバーモールドされ、さらにその外表面をアルミ箔のごとき導電体１０８で覆われ、シールド面が形成される。この実施形態では、絶縁体１０６の全体に導電体１０８が形成されているが、絶縁体１０６の上面或いは下面のいずれか片面だけに形成された構成でもよく、その場合、その全部または一部に形成されていてもよい。
【００２６】
次に、図８を参照して、基板８０上に取り付けられたコネクタ１について説明する。図８は、本発明のコネクタ１を基板に取り付けた状態を示す側面図である。コネクタ１が基板８０に取り付けられ、ロック部材６が図４に仮想線で示すように拡開されてケーブル１００がコネクタ１に挿入され、ロック部材６が閉鎖されると、ケーブル１００はコネクタ１に取り付けられる。その後、シールド部材３０をハウジング２に装着すると、取付片３４の湾曲凸部３８が基板８０に当接し、取付片３４の下方向への一定以上の変位が規制される。これにより、シールド部材３０が降下しすぎてコンタクト４等と接触することが防止される。このように、シールド部材３０は、ケーブル１００を取り付けた後に、ハウジング２に後付で取り付けることが出来るので、ロック部材６のように一時的に突出する部材があっても問題なくハウジング２に取り付けることができる。また、後付けであることにより、シールド部材３０の取り付け前に、ハウジング２の基板８０へのはんだ付け状態やフラットケーブル１００との接続状態を容易に確認することができる。
【００２７】
そして、前述の舌片４０はケーブル１００のシールド面に接触し、舌片４２は基板８０状の導電パッド（接地部）８２に接触する。シールド部材３０の舌片４０、４２は、弾性を有しているので、それぞれケーブル１００のシールド面および導電パッド８２に弾性的に付勢された状態で接触する。これによって、ハウジング２全体がシールド部材３０によって覆われ、コネクタ１のシールドが形成される。前述の土台板４４は、舌片４０の下側で基板８０に取り付けられ、舌片４０がケーブル１００を付勢する押圧力を支持して、ケーブル１００のシールドと舌片４０との接触を安定にする。土台板４４の材質には特に制限はなく、基板８０と同様な材質を用いることができる。土台板４４を金属製として基板８０の接地部にはんだ付けする場合には、フラットケーブル下面に設けられたシールドと電気的に接続することもできる。
【００２８】
このようにハウジング２に取り付けられたシールド部材３０は、湾曲凸部３８を支点としたシーソー状にハウジング２に取り付けられている。すなわち、舌片４０、４２が受ける反力の差により、湾曲凸部３８の周りに回動して自動的にバランスが保たれるようになっている。これにより舌片４０、４２の接触が常に良好に維持される。
【００２９】
次に、図９および図１０を参照して、ハウジング２、シールド部材３０、ケーブル１００および土台板４４の位置関係を示す。図９はこれらの関係を透視的に示した平面図、図１０は同様に透視的に示した側面図をそれぞれ示す。なお、ケーブル１００は、斜線を施した部分で示す。図９では、ケーブル１００の先端部の図示しない電極がコンタクト４と接触した状態が示されている。また、図１０に示すように、ハウジング２の上面２ｂとシールド部材３０の基部３２の下面３２ａとの間には間隙Ｇが確保され、シールド部材３０が湾曲凸部３８を支点にして、シールド部材３０とハウジング２とが干渉することなくシーソー運動が可能なことが明瞭に示されている。
【００３０】
以上、本発明の好ましい実施の形態について詳細に説明したが、コネクタの基板への実装形態は、表面実装に限定されるものではなく、スルーホール（貫通孔）タイプの基板にコネクタのコンタクトが挿入されてはんだ付けされる実装形態であってもよい。
【図面の簡単な説明】
【００３１】
【図１】シールド部材を外した本発明の一具体例のフラットケーブル用電気コネクタの平面図
【図２】図１のフラットケーブル用電気コネクタの正面図
【図３】図１のフラットケーブル用電気コネクタの底面図
【図４】図１のフラットケーブル用電気コネクタの側面図
【図５】図１のフラットケーブル用電気コネクタを部分的に破断した断面図であり、（ａ）は図２の５ａ-５ａ線に沿う断面、（ｂ）は図２の５ｂ−５ｂ線に沿う断面をそれぞれ示す。
【図６】シールド部材を取り付けた状態のフラットケーブル用電気コネクタを示し、（ａ）は平面図、（ｂ）は側面図をそれぞれ示す。
【図７】フラットケーブルの一例を示す断面図
【図８】本発明のフラットケーブル用電気コネクタを基板に取り付けた状態を示す側面図
【図９】本発明のフラットケーブル用電気コネクタの絶縁ハウジング、シールド部材、フラットケーブルおよび土台板の位置関係を透視的に示す平面図
【図１０】本発明のフラットケーブル用電気コネクタの絶縁ハウジング、シールド部材、フラットケーブルおよび土台板の位置関係を透視的に示す側面図
【符号の説明】
【００３２】
１    フラットケーブル用電気コネクタ
２    絶縁ハウジング
２ｂ    上面
４    コンタクト
２２    側壁
２４、３６    凹凸係合部
３０    シールド部材
３２    基部
３４    取付片
３８    湾曲凸部
４０、４２    舌片
８０    基板
８２    導電パッド（接地部）
１００    フラットケーブル
【図１】
2006066242.tif 000003
【図２】
2006066242.tif 000004
【図３】
2006066242.tif 000005
【図４】
2006066242.tif 000006
【図５】
2006066242.tif 000007
【図６】
2006066242.tif 000008
【図７】
2006066242.tif 000009
【図８】
2006066242.tif 000010
【図９】
2006066242.tif 000011
【図１０】
2006066242.tif 000012